(57)【要約】【課題】視覚と嗅覚との２重効果により、官能的な刺激を達成すると共に、両性関係を改善することができるフェロモン粒子付き紡績品を提供することにある。【解決手段】複数の経方向繊維と、複数の緯方向繊維と、を交錯にウィービングして構成され、これらの経方向繊維とこれらの緯方向繊維の間には、隙間が複数形成される布と、布を構成する、経方向繊維と緯方向繊維との表面に粘着され、且つ布の隙間に収容されるフェロモン粒子と、を含み、フェロモン粒子は、人類の男性の性フェロモン「４，１６−ａｎｄｒｏｓｔａｄｉｅｎ−３−ｏｎｅ（ＡＮＤと称される）」、又は人類の女性の性フェロモン「ｅｓｔｒａ−１，３，５（１０），１６−ｔｅｔｒａｅｎ−３−０１（ＥＳＴと称される）」である。【選択図】図２
0003156364.tif 000002
【実用新案登録請求の範囲】
【請求項１】
複数の経方向繊維と、複数の緯方向繊維と、を交錯にウィービングして構成され、これらの前記経方向繊維とこれらの前記緯方向繊維の間には、隙間が複数形成される布と、
前記布を構成する、前記経方向繊維と前記緯方向繊維との表面に粘着され、且つ前記布の前記隙間に収容されるフェロモン粒子と、
を含むことを特徴とするフェロモン粒子付き紡績品。
【請求項２】
前記フェロモン粒子は、人類の男性の性フェロモン「４，１６−ａｎｄｒｏｓｔａｄｉｅｎ−３−ｏｎｅ（ＡＮＤと称される）」、又は人類の女性の性フェロモン「ｅｓｔｒａ−１，３，５（１０），１６−ｔｅｔｒａｅｎ−３−０１（ＥＳＴと称される）」であることを特徴とする、請求項１に記載のフェロモン粒子付き紡績品。
【請求項３】
下着に利用されることを特徴とする、請求項１に記載のフェロモン粒子付き紡績品。
【請求項４】
スリングタイツに利用されることを特徴とする、請求項１に記載のフェロモン粒子付き紡績品。
【請求項５】
一般の服装に利用されることを特徴とする、請求項１に記載のフェロモン粒子付き紡績品。
【考案の詳細な説明】
【技術分野】
【０００１】
本考案は、紡績品に係り、特に、フェロモン粒子付き紡績品に関するものである。
【背景技術】
【０００２】
服装は、人類の皮膚を保護し体温を保持する効果を有するが、国民の生活水準の向上に従って、そのスタイルが消費の重要な要素の一つになる。すなわち、服装の造形により個人的なスタイルを表すことが一般的になる。また、現代では、仕事のストレスが大きくなるので、下着の造形によりユーザの視覚を刺激して仕事のストレスを解消することがトレンドになる。そして人類の五感のうち、視覚および嗅覚が最も重要な感覚であるので、如何に嗅覚の刺激を活用することにより人間関係を改善するかが重要な課題になる。
【考案の概要】
【考案が解決しようとする課題】
【０００３】
本考案の主な目的は、視覚と嗅覚との２重効果により、官能的な刺激を達成すると共に、人間関係を改善することができるフェロモン粒子付き紡績品を提供することにある。
【課題を解決するための手段】
【０００４】
本考案のフェロモン粒子付き紡績品によると、複数の経方向繊維と、複数の緯方向繊維と、を交錯にウィービングして構成され、これらの前記経方向繊維とこれらの前記緯方向繊維の間には、隙間が複数形成される布と、前記布を構成する、前記経方向繊維と前記緯方向繊維との表面に粘着され、且つ前記布の前記隙間に収容されるフェロモン粒子と、を含むことを特徴とする。
【０００５】
本考案のフェロモン粒子付き紡績品によると、前記フェロモン粒子は、人類の男性の性フェロモン「４，１６−ａｎｄｒｏｓｔａｄｉｅｎ−３−ｏｎｅ（ＡＮＤと称される）」、又は人類の女性の性フェロモン「ｅｓｔｒａ−１，３，５（１０），１６−ｔｅｔｒａｅｎ−３−０１（ＥＳＴと称される）」であることを特徴とする。
【０００６】
本考案のフェロモン粒子付き紡績品によると、下着に利用されることを特徴とする。
【０００７】
本考案のフェロモン粒子付き紡績品によると、スリングタイツに利用されることを特徴とする。
【０００８】
本考案のフェロモン粒子付き紡績品によると、一般の服装に利用されることを特徴とする。
【考案の効果】
【０００９】
本考案のフェロモン粒子付き紡績品によれば、視覚と嗅覚との２重効果により、官能的な刺激を達成すると共に、両性関係を改善することができるという効果を有する。
【図面の簡単な説明】
【００１０】
【図１】本考案の一実施形態のフェロモン粒子付き紡績品の分解斜視図である。
【図２】本考案の一実施形態のフェロモン粒子付き紡績品の一部の拡大図である。
【図３】本考案の一実施形態のフェロモン粒子付き紡績品の一部の拡大図である。
【図４】本考案の一実施形態のフェロモン粒子付き紡績品が下着に利用される状態の拡大図である。
【図５】本考案の一実施形態のフェロモン粒子付き紡績品がスリングタイツに利用される状態の模式図である。
【図６】本考案の一実施形態のフェロモン粒子付き紡績品が一般の服装に利用される状態の模式図である。
【考案を実施するための形態】
【００１１】
以下、本考案の実施の形態を図面に基づいて説明する。
【００１２】
まず、図１から図３を参照する。本考案の一実施形態のフェロモン粒子付き紡績品は、布１０と、フェロモン粒子２０と、を含む。
【００１３】
前記布１０は、複数の経方向繊維１１と、複数の緯方向繊維１２と、を交錯にウィービングして構成され、これらの前記経方向繊維１１とこれらの前記緯方向繊維１２の間には、隙間１３が複数形成される。
【００１４】
前記フェロモン粒子２０は、前記布１０を構成する、前記経方向繊維１１と前記緯方向繊維１２との表面に粘着され、且つ前記布１０の前記隙間１３に収容される。これらの前記フェロモン粒子２０は、人類の男性の性フェロモン「４，１６−ａｎｄｒｏｓｔａｄｉｅｎ−３−ｏｎｅ（ＡＮＤと称される）」、又は人類の女性の性フェロモン「ｅｓｔｒａ−１，３，５（１０），１６−ｔｅｔｒａｅｎ−３−０１（ＥＳＴと称される）」である。
【００１５】
前記フェロモン粒子２０は、人類から分泌され、特殊な匂いを有する性フェロモンであり、人類が異性の性フェロモンの匂いを嗅ぐときに、生理的な変化、又は特殊な行為が発生する。フェロモン粒子２０が極めて小さいので、気流により発散することができる。本考案の実施形態では、フェロモン粒子付き紡績品が色々な服装に利用され、このような服装を着用すると、官能的な刺激を達成すると共に、人間関係を改善することができる。
【００１６】
図４を参照する。図４は本考案の一実施形態のフェロモン粒子付き紡績品が下着１０Ａに利用される状態の拡大図である。下着１０Ａがユーザの身体の曲線を表す効果を有するので、フェロモン粒子付き紡績品で作製された下着１０Ａを着用すると、視覚と嗅覚との２重効果により、官能的な刺激を達成すると共に、両性関係を改善することができる。
【００１７】
図５を参照する。図５は本考案の一実施形態のフェロモン粒子付き紡績品がスリングタイツ１０Ｂに利用される状態の模式図である。スリングタイツ１０Ｂがユーザの足の曲線を表す効果を有するので、フェロモン粒子付き紡績品で作製されたスリングタイツ１０Ｂを着用すると、視覚と嗅覚との２重効果により、官能的な刺激を達成すると共に、両性関係を改善することができる。
【００１８】
図６を参照する。図６は本考案の一実施形態のフェロモン粒子付き紡績品が一般の服装１０Ｃに利用される状態の模式図である。服装１０Ｃがユーザの個人的なスタイルを表す効果を有するので、フェロモン粒子付き紡績品で作製された服装１０Ｃを着用すると、フェロモン粒子２０の発散により、両性関係を改善することができ、且つ人間関係を良くする効果もある。
【産業上の利用可能性】
【００１９】
本考案は、紡績品に適用することができる。
【符号の説明】
【００２０】
１０      布
１０Ａ    下着
１０Ｂ    スリングタイツ
１０Ｃ    服装
１１      経方向繊維
１２      緯方向繊維
１３      隙間
２０      フェロモン粒子
【図１】
0003156364.tif 000003
【図２】
0003156364.tif 000004
【図３】
0003156364.tif 000005
【図４】
0003156364.tif 000006
【図５】
0003156364.tif 000007
【図６】
0003156364.tif 000008